(57)【要約】【課題】補助アームを用いてストロボユニットを発光位置に移動させるカメラでは、ストロボユニットの収納時に補助アームの機構ガタによる異音が発生してしまう。【解決手段】ストロボユニット２に形成された軸部３１（３２）の先端に形成された２つの抜け止め部のうち一方の抜け止め部３１ｂが、他方の抜け止め部３１ａよりも厚く形成されており、収納位置でアーム部材８（９）に当接するとともに、ストロボユニット２の回動により長穴部８１（９１）の領域内に進退して発光位置でアーム部材８と非当接状態となる。【選択図】　図３
2004109329.tif 000002
【特許請求の範囲】
【請求項１】
カメラ本体から突出した発光位置と前記カメラ本体に収納される収納位置との間で回動可能であり、発光位置方向に付勢されるストロボユニットと、
基端部で前記カメラ本体に回転可能に支持されるとともに、先端側に形成された長穴部で前記ストロボユニットに形成された軸部に係合し、前記ストロボユニットを前記発光位置で位置決め可能なアーム部材とを有し、
前記軸部の先端に形成された２つの抜け止め部のうち一方の抜け止め部が、他方の抜け止め部よりも厚く形成されており、前記収納位置で前記アーム部材に当接するとともに、前記ストロボユニットの回動により前記長穴部の領域内に進退して前記発光位置で前記アーム部材と非当接状態となることを特徴とするカメラ。
【請求項２】
カメラ本体から突出した発光位置と前記カメラ本体に収納される収納位置との間で回動可能であり、発光位置方向に付勢されるストロボユニットと、
基端部で前記カメラ本体に回転可能に支持されるとともに、先端側に形成された長穴部で前記ストロボユニットに形成された軸部に係合し、前記ストロボユニットを前記発光位置で位置決め可能なアーム部材とを有し、
前記アーム部材の一部の領域が、他の領域よりも厚み方向に突出しており、
前記軸部の先端に形成された２つの抜け止め部のうち一方の抜け止め部は、前記収納位置で前記一部の領域に当接するとともに、前記ストロボユニットの回動により前記長穴部の領域内に進退して前記発光位置で前記一部の領域と非当接状態となることを特徴とする請求項１に記載のカメラ。
【請求項３】
前記カメラ本体に凸状に形成され、前記アーム部材を所定方向に片寄せ可能な突部を有することを特徴とする請求項１又は２に記載のカメラ。
【発明の詳細な説明】
【０００１】
【発明の属する技術分野】
本発明は、ストロボを内蔵したカメラに関するものであり、具体的にはカメラ本体から突出する突出位置とカメラ本体内に収納される収納位置との間でストロボを移動させる機構に関するものである。
【０００２】
【従来の技術】
従来、ストロボ内蔵タイプのカメラは、発光部を備えたストロボユニットを、非使用時にはカメラ本体内に収納させ、使用時にはカメラ本体から突出させるポップアップ機構を有している。
【０００３】
このポップアップ機構は、ストロボユニットをカメラ本体から突出した発光位置に移動させる手段としてポップアップバネを用いており、プランジャ若しくはモータ等のアクチュエータの駆動、または手動によりポップアップバネの蓄勢力を開放させて、ストロボユニットをポップアップバネの付勢力により発光位置に移動させるものが知られている（例えば、特許文献１参照）。
【０００４】
ここで、ストロボユニットが収納位置から発光位置まで回動する量は、ストロボユニットの外装を構成するストロボケースに設けられたガイド溝と、カメラ本体の上蓋に設けられたガイドピンとの係合状態により決定される。すなわち、ストロボユニットの回動量は、ガイド溝の長さに依存している。
【０００５】
このため、ストロボユニットの発光位置は、ガイド溝（ストロボユニット）の大きさによる制約を受け、発光位置を撮影光軸から離れた位置（高い位置）に設定することは困難である。
【０００６】
そこで、撮影光軸からより離れた位置（発光位置）までストロボユニットを移動させるための機構として、一端がカメラ本体に回転可能に支持され、他端がストロボユニットに回転可能に支持された一対の補助アームを用いた機構が知られている（例えば、特許文献２、特許文献３、特許文献４参照）。この機構によれば、補助アームを用いることで、ストロボユニットの回動量を多くすることができ、ストロボユニットを撮影光軸からより離れた位置まで移動させることができる。
【０００７】
【特許文献１】
特開平９−４３６９３号公報
【特許文献２】
特開平６−９５２１９号公報
【特許文献３】
特開平１０−４８７１２号公報
【特許文献４】
特開２００１−５１３２５号公報
【０００８】
【発明が解決しようとする課題】
上述した補助アームを用いた機構を備えたストロボ内蔵カメラにおいて、ストロボユニットが発光位置（使用状態）にあるときには、ポップアップバネの付勢力を一対の補助アームで阻止しているため、一対の補助アームの機構ガタは発生しない。
【０００９】
しかし、ストロボユニットが収納位置（非使用状態）にあるときには、一対の補助アームにポップアップバネの付勢力が影響しない状態であるため、カメラ本体を左右に揺すると補助アーム部の機構ガタによりガシャガシャと異音を発し、使用者を不愉快にさせてしまう。
【００１０】
ここで、一対の補助アーム部を２本以上のアームでリンク機構とし、アームにバネを掛けることによりアームの機構ガタを抑えることが可能である。しかし、この場合には、構成部品が増えた分だけ余計なスペースが必要となり、組立が困難で、しかも部品点数の増加によるコストアップを招いてしまう。
【００１１】
【課題を解決するための手段】
本願第１の発明であるカメラは、カメラ本体から突出した発光位置とカメラ本体に収納される収納位置との間で回動可能であり、発光位置方向に付勢されるストロボユニットと、基端部でカメラ本体に回転可能に支持されるとともに、先端側に形成された長穴部でストロボユニットに形成された軸部に係合し、ストロボユニットを発光位置で位置決め可能なアーム部材とを有し、軸部の先端に形成された２つの抜け止め部のうち一方の抜け止め部が、他方の抜け止め部よりも厚く形成されており、収納位置でアーム部材に当接するとともに、ストロボユニットの回動により長穴部の領域内に進退して発光位置でアーム部材と非当接状態となることを特徴とする。
【００１２】
すなわち、ストロボユニットが収納位置にあるときに、厚みをもった抜け止め部をアーム部材に当接させて、この厚みをもった抜け止め部と軸部の基端側（ストロボユニット）とでアーム部材を隙間がほとんどなくなるように挟み込むことで、アーム部材の機構ガタを防止し、この機構ガタによる異音の発生を防止するようにしている。
【００１３】
しかも、厚みをもった抜け止め部を、ストロボユニットが回動するにつれて長穴部の領域内に進入（アーム部材と非当接）させるようにしている。これにより、厚みのある抜け止め部によってストロボユニットの回動動作に摩擦等の抵抗が絶えず与えられるのを防止して、ストロボユニットをスムーズに回動させることができる。
【００１４】
さらに、本発明では、２つの抜け止め部のうち一方の抜け止め部の厚みを他方の抜け止め部の厚みよりも厚くするだけであるため、部品点数を増やすことなく簡単な構成で上述した効果を得ることができる。
【００１５】
本願第２の発明であるカメラは、カメラ本体から突出した発光位置とカメラ本体に収納される収納位置との間で回動可能であり、発光位置方向に付勢されるストロボユニットと、基端部でカメラ本体に回転可能に支持されるとともに、先端側に形成された長穴部でストロボユニットに形成された軸部に係合し、ストロボユニットを発光位置で位置決め可能なアーム部材とを有し、アーム部材の一部の領域が、他の領域よりも厚み方向に突出しており、軸部の先端に形成された２つの抜け止め部のうち一方の抜け止め部は、収納位置で一部の領域に当接するとともに、ストロボユニットの回動により長穴部の領域内に進退して発光位置で一部の領域と非当接状態となることを特徴とする。
【００１６】
本発明においても、本願第１の発明と同様の効果を得ることができる。すなわち、収納位置において、一方の抜け止め部がアーム部材の厚み方向に突出した一部の領域に当接して、この抜け止め部と軸部の基端側（ストロボユニット）とでアーム部材の一部の領域を隙間がほとんどなくなるように挟み込むため、アーム部材の機構ガタを防止して、この機構ガタによる異音の発生を防止することができる。
【００１７】
しかも、ストロボユニットが回動するにつれて、一方の抜け止め部が長穴部の領域内に進入（アーム部材の一部の領域と非当接）するため、抜け止め部とアーム部材の一部の領域との摩擦等による抵抗がストロボユニットの回動動作に絶えず加わるのを防止でき、ストロボユニットをスムーズに回動させることができる。
【００１８】
さらに、本発明でも、アーム部材の一部の領域を厚み方向で突出させるだけであるため、部品点数を増やすことなく簡単な構成で上述した効果を得ることができる。
【００１９】
ここで、凸状に形成され、アーム部材を所定方向に片寄せ可能な突部を、カメラ本体に備え付けてもよい。このような構成であれば、カメラ本体に凸状の突部を形成するだけで、簡単な構成でアーム部材の機構ガタを防止して、この機構ガタによる異音の発生を防止でき、従来技術のように部品点数が増えることもないためコストアップを防止することができる。
【００２０】
【発明の実施の形態】
以下、本発明の一実施形態であるストロボ内蔵カメラについて、図１から図６を用いて説明する。ここで、図１はストロボ内蔵カメラの全体を示す外観斜視図であり、図２は図１に示すカメラにおける内蔵ストロボの主要機構の構成を示す外観斜視図である。図３は収納位置にある内蔵ストロボの機構のアーム部の状態を示す斜視図であり、図４は図３の収納位置における内蔵ストロボの機構のアーム部の状態を示す側断面図である。
【００２１】
図５は発光位置にある内蔵ストロボの機構のアーム部の状態を示す斜視図であり、図６は図５の発光位置における内蔵ストロボの機構のアーム部の状態を示す側断面図である。図７は収納位置における内蔵ストロボの機構のアーム部の状態を示す正面側から見た断面図である。
【００２２】
これらの図において、１はカメラ本体であり、ストロボユニット２を発光位置と収納位置とで回転可能に支持する。なお、ストロボユニット２は、発光位置にあるときには、図１に示すようにカメラ本体１から突出し、収納位置にあるときには、カメラ本体１に収納される。
【００２３】
３はストロボユニット２の各種構成部品を保持し、ストロボユニット２の構造体となるストロボケースである。４はストロボケース３にビス固定され、ストロボユニット２に含まれる部品を保持し、ストロボユニットの外装を構成するストロボカバーである。
【００２４】
１０１は発光管であり、カメラ本体１側に設けられた不図示のストロボ発光回路から発せられた発光信号を受けることで放電を開始して発光する。１０２は発光管１０１を保持する反射傘であり、発光管１０１から発せられた光を反射させてストロボユニット２の前面側に集光させる。
【００２５】
１０３は発光管１０１を反射傘１０２に対して固定するための固定部材である。発光管１０１を反射傘１０２に対して固定部材１０３で固定することにより、発光ユニット１００が構成される。
【００２６】
１０４は、発光管１０１から直接入射される光や、反射傘１０２により集光された光をコントロールするためのストロボパネルであり、ストロボケース３にはめ込まれていることで保持及び固定されている。このストロボパネル１０４には、発光管１０１及び反射傘１０２からカメラ本体外部への高圧電源のリークを防止するために、反射傘１０２を囲むリブが形成されている。
【００２７】
１０５は、発光管１０１における発光信号を発生させるトリガコイルであり、発光管１０１および不図示のストロボ発光回路に不図示のリード線を介して接続されている。
【００２８】
５は、ストロボユニット２がカメラ本体１に対して収納位置と発光位置との間で回転するための回転軸である。この回転軸５の外周には、トーションバネ６が配置されており、トーションバネ６の一方の腕部はストロボケース３側に掛けられ、他方の腕部はカメラ本体１側に掛けられている。これにより、トーションバネ６は、ストロボユニット２を発光位置の方向に回転するように付勢している。
【００２９】
７は回転軸５と同軸上に配置されたリング状の軸受けであり、ストロボユニット２がカメラ本体１に対して発光位置および収納位置間で回転可能となるように支持する。この軸受け７の中心に形成された穴部には、ストロボユニット２の発光管１０１及びトリガコイル１０５とカメラ本体１内の不図示のストロボ発光回路とを接続するためのリード線が配置されている。
【００３０】
ストロボケース３の左右に形成された腕部の内側には、それぞれ軸部３１，３２が形成されており、この軸部３１，３２の先端にはフランジ部３１ａ，３２ａ（抜け止め部）とフランジ部３１ｂ，３２ｂ（抜け止め部）とが形成されている。ここで、フランジ部３１ａ，３２ａとフランジ部３１ｂ，３２ｂとの厚みが異なっており、フランジ部３１ｂ，３２ｂの厚みの方がフランジ部３１ａ，３２ａの厚みよりも厚くなっている。
【００３１】
また、カメラ本体１の上部には、ストロボポジションレバー８，９（アーム部材）が、カメラ本体１の左右方向に延びる軸を回転軸として回転可能に取り付けられている。このストロボポジションレバー８，９は、ストロボユニット２がトーションバネ６の付勢力を受けて発光位置まで回転した際に、この回転を阻止してストロボユニット２を発光位置に停止させる。
【００３２】
ストロボポジションレバー８，９の先端には、長穴部８１，９１が形成されており、この長穴部８１，９１にはストロボケース３に形成された軸部３１，３２が当接するようになっている。
【００３３】
ストロボユニット２が発光位置と収納位置との間で移動するとき、軸部３１，３２は、長穴部８１，９１に沿って移動する。そして、ストロボユニット２が発光位置にあるときには、図６に示すように軸部３１，３２が長穴部８１，９１の端面に当接し、ストロボユニット２が収納位置にあるときには、図４に示すように軸部３１，３２が長穴部８１，９１内に位置するようになっている。
【００３４】
また、ストロボユニット２が収納位置にあるとき、ストロボポジションレバー８，９は、図７に示すように、軸３１，３２の基端部とフランジ部３１ｂ，３２ｂとで挟み込まれている。ここで、軸部３１，３２におけるフランジ部３１ｂ，３２ｂの厚みは、フランジ部３１ａ，３２ａの厚みよりも厚く形成されており、軸３１，３２の基端部およびフランジ部３１ｂ，３２ｂ間の距離は、軸３１，３２の基端部およびフランジ部３１ａ，３２ａ間の距離よりも狭くなっている。
【００３５】
このため、ストロボユニット２が収納位置にあるとき、軸３１，３２はストロボポジションレバー８，９のスラストガタを最小限に阻止する構成となっている。
【００３６】
ストロボユニット２が収納位置からアップ駆動されて発光位置にあるときには、フランジ部３１ｂ，３２ｂが長穴部８１，９１内に位置し、ストロボポジションレバー８，９のスラストガタを阻止しないようになっている。このとき、フランジ部３１ｂ，３２ｂよりも厚みの薄いフランジ部３１ａ，３２ａが、ストロボポジションレバー８，９に当接するようになっており、ストロボポジションレバー８，９がストロボユニット２から外れない構成となっている。
【００３７】
上述したように、ストロボユニット２が収納位置にあるときには、軸３１，３２の基端部およびフランジ部３１ｂ，３２ｂにより、ストロボポジションレバー８，９のスラストガタを最小限に阻止しているため、カメラ本体１を左右に揺すっても機構ガタによるガシャガシャという異音を発しにくい。
【００３８】
ここで、軸３１，３２の基端部およびフランジ部３１ｂ，３２ｂにより、ストロボポジションレバー８，９のスラストガタを最小限に阻止すると、ストロボユニット２が収納位置から発光位置に移動し始める際の動作に多少の抵抗を与えることになる。しかし、アップ動作開始時においては、トーションバネ６が十分にチャージされて付勢力が一番強い状態となっているため、ストロボユニット２のアップ動作に何ら影響を与えることはなく、ストロボユニット２のスムーズなアップ動作を行うことができる。
【００３９】
また、ストロボユニット２が発光位置にアップした状態では、トーションバネ６の付勢力によりストロボポジションレバー８，９の長穴部８１，９１の端部に、軸部３１，３２が突き当たった状態となっている。このため、カメラ本体１を揺すってもストロボポジションレバー８，９の機構ガタによる異音を発することはない。
【００４０】
一方、ストロボポジションレバー８，９のスラストガタは、フランジ部３１ｂ，３２ｂよりも厚みの薄いフランジ部３１ａ，３２ａによって大きく許容されているため、ストロボユニット２が発光位置へ移動する際のアップ動作に摩擦抵抗等の負荷が極力働かないようになっている。すなわち、ストロボユニット２が発光位置に近づくにつれてトーションバネ６の付勢力は徐々に弱くなっていくが、上述したようにストロボユニット２のアップ動作に摩擦等の負荷がかからないようにすることで、ストロボユニット２のアップ動作をスムーズに行うことができる。
【００４１】
１０は緊定部材であり、カメラ本体１内に設けられた不図示の緊定ユニットに連動してストロボケース３の一部（不図示）と係脱可能となっている。この緊定部材１０がストロボケース３と係合状態にあるときには、ストロボユニット２を収納位置に保持する。また、緊定部材１０が、ストロボケース３との係合状態を解除すると、ストロボユニット２は、トーションバネ６の付勢力を受けて収納位置から発光位置に移動する。
【００４２】
一方、カメラ本体１の上部には、１対のリブ状の突起部１１ａ，１１ｂが形成されている。この突起部１１ａ，１１ｂは、ストロボユニット２が収納位置に移動するとき、ストロボポジションレバー８，９の先端側と当接して、ストロボポジションレバー８，９を一方向（カメラ本体１の左右方向）に片寄せすることにより、スラストガタを阻止するようになっている。
【００４３】
このストロボポジションレバー８，９の片寄せ方向は任意に設定することができる。すなわち、図１において、突部１１ｂは、ストロボポジションレバー９をカメラ本体正面から見て右側に片寄せするようになっているが、突部１１ｂの位置を変えることにより、ストロボポジションレバー９をカメラ本体正面から見て左側に片寄せしてもよい。
【００４４】
ストロボユニット２が収納位置から発光位置に移動すると、ストロボポジションレバー８，９は、リブ状の突起部１１ａ，１１ｂによる片寄せから開放されるようになっている。
【００４５】
ここで、ストロボポジションレバー８，９が片寄せされている場合には、ストロボユニット２のアップ動作開始時における動作に多少の抵抗を与えることになる。しかし、上述したようにアップ動作開始時においては、トーションバネ６の付勢力が最大となっているとともに、突部１１ａ，１１ｂの先端に、カメラ本体１の中央に向かって延びるテーパ面が形成されているため、ストロボユニット２のアップ動作をスムーズに行うことができる。
【００４６】
本実施形態では、軸部３１，３２におけるフランジ部３１ｂ，３２ｂおよびフランジ部３１ａ，３２ａの厚みを変えているが、フランジ部３１ｂ，３２ｂおよびフランジ部３１ａ，３２ａの厚みを等しくしてストロボポジションレバー８，９の厚みを変えるようにしてもよい。
【００４７】
すなわち、ストロボポジションレバー８，９のうち、ストロボユニット２の収納状態において少なくともフランジ部３１ｂ，３２ｂと当接する領域Ａにおける厚みを他の領域における厚みよりも厚くすることができる（図８、図９）。
【００４８】
ここで、図８は、収納位置にあるときのストロボユニットを正面から見た断面図である。また、図９（ａ）は、収納位置にあるときのストロボユニットの側断面図であり、図９（ｂ）は、図９（ａ）においてストロボポジションレバー８，９のうちＡ領域における側面図である。なお、上述した部材と同じ部材については同一符号を付している。
【００４９】
これらの図において、３１ｂ’，３２ｂ’は、軸部３１，３２の先端に形成されたフランジ部であり、フランジ部３１ａ，３２ｂと同じ厚みになっている。そして、ストロボポジションレバー８，９は、Ａ領域において厚みが厚くなるように形成されている。
【００５０】
これにより、ストロボユニット２が収納位置にあるときには、軸部３１，３２の基端部およびフランジ部３１ｂ，３２ｂが、ストロボポジションレバー８，９の厚みのある領域を僅かな隙間をもって挟み込む。このため、ストロボポジションレバー８，９のスラストガタを阻止でき、カメラを揺すってもストロボポジションレバー８，９の機構ガタによる異音が発することもなくなる。
【００５１】
ここで、ストロボユニット２が収納位置から発光位置に移動する際には、フランジ部３１ｂ，３２ｂがストロボポジションレバー８，９の厚みのある領域から離れる。そして、フランジ部３１ａ，３２ａがストロボポジションレバー８，９の厚みのない領域に沿って移動する。
【００５２】
このとき、ストロボポジションレバー８，９のスラストガタは、ストロボポジションレバー８，９の厚みのない領域とフランジ部３１ａ、３２ａとの間の隙間により大きく許容されているため、ストロボユニット２のアップ動作に摩擦等の負荷が働くことは少なく、ストロボユニット２のアップ動作をスムーズに行うことができる。
【００５３】
一方、フランジ部の厚みを変えずに、ストロボポジションレバー８，９のうち、ストロボユニット２の収納状態において少なくともフランジ部と当接する領域を、図１０に示すように凸状に曲げ形成してもよい。このような構成でも、上述したストロボポジションレバー８，９の厚みを変えた場合と同様の効果を得ることができる。
【００５４】
ここで、図１０（ａ）は、収納位置にあるときのストロボユニットを正面から見た断面図であり、図１０（ｂ）は、図１０（ａ）においてストロボポジションレバー８，９のうちＢ領域における側面図である。これらの図において、ストロボポジションレバー８，９は、Ｂ領域において凸状に曲げ形成されている。なお、上述した部材と同じ部材については同一符号を付している。
【００５５】
【発明の効果】
本願第１の発明によれば、ストロボユニットが収納位置にあるときに、厚みをもった抜け止め部をアーム部材に当接させて、この厚みをもった抜け止め部と軸部の基端側（ストロボユニット）とでアーム部材を隙間がほとんどなくなるように挟み込むようにしているため、アーム部材の機構ガタを防止して、この機構ガタによる異音の発生を防止することができる。
【００５６】
しかも、厚みをもった抜け止め部を、ストロボユニットが回動するにつれて長穴部の領域内に進入（アーム部材と非当接）させているため、厚みのある抜け止め部によってストロボユニットの回動動作に摩擦等の抵抗が絶えず与えられるのを防止して、ストロボユニットをスムーズに回動させることができる。
【００５７】
さらに、本発明では、２つの抜け止め部のうち一方の抜け止め部の厚みを他方の抜け止め部の厚みよりも厚くするだけであるため、部品点数を増やすことなく簡単な構成で上述した効果を得ることができる。
【００５８】
本願第２の発明においても、本願第１の発明と同様の効果を得ることができる。すなわち、収納位置において、一方の抜け止め部をアーム部材の厚み方向に突出した一部の領域に当接させて、この抜け止め部と軸部の基端側（ストロボユニット）とでアーム部材の一部の領域を隙間がほとんどなくなるように挟み込むため、アーム部材の機構ガタを防止して、この機構ガタによる異音の発生を防止することができる。
【００５９】
しかも、ストロボユニットが回動するにつれて、一方の抜け止め部が長穴部の領域内に進入（アーム部材の一部の領域と非当接）するため、抜け止め部とアーム部材の一部の領域との摩擦等による抵抗がストロボユニットの回動動作に絶えず加わるのを防止でき、ストロボユニットをスムーズに回動させることができる。
【００６０】
さらに、本発明でも、アーム部材の一部の領域を厚み方向で突出させるだけであるため、部品点数を増やすことなく簡単な構成で上述した効果を得ることができる。
【図面の簡単な説明】
【図１】ストロボアップ状態におけるストロボ内蔵カメラの外観斜視図。
【図２】ストロボ内蔵カメラにおけるストロボユニットの主要機構の構成を示す斜視図。
【図３】収納位置にあるときのストロボユニットの背面図。
【図４】収納位置にあるときのストロボユニットの側断面図。
【図５】発光位置にあるストロボユニットにおけるアーム部の状態を示す斜視図。
【図６】発光位置にあるときのストロボユニットの側断面図。
【図７】収納位置にあるときのストロボユニットを正面から見た断面図。
【図８】収納位置にあるときのストロボユニットを正面から見た断面図。
【図９】収納位置にあるときのストロボユニットの側断面図。
【図１０】収納位置にあるときのストロボユニットの側断面図。
【符号の説明】
１・・・カメラ本体
２・・・ストロボユニット
３・・・ストロボケース
３１，３２・・・軸部
３１ａ，３２ａ・・・フランジ部
３１ｂ，３２ｂ・・・フランジ部
４・・・ストロボカバー
５・・・回転軸
６・・・トーションバネ
７・・・軸受け
８，９・・・ストロボポジションレバー
８１，９１・・・長穴部
１０１・・・発光管
１０２・・・反射傘
１０３・・・固定部材
１０４・・・ストロボパネル
１０５・・・トリガコイル
１１ａ，１１ｂ・・・突起部
【図１】
2004109329.tif 000003
【図２】
2004109329.tif 000004
【図３】
2004109329.tif 000005
【図４】
2004109329.tif 000006
【図５】
2004109329.tif 000007
【図６】
2004109329.tif 000008
【図７】
2004109329.tif 000009
【図８】
2004109329.tif 000010
【図９】
2004109329.tif 000011
【図１０】
2004109329.tif 000012